(57)【要約】【課題】摺動子の作動不良や異音が発生することのない釣糸平行巻き装置を備えた魚釣用リールを提供する。【解決手段】本発明に係る魚釣用リールは、リール本体１に支持されたハンドル５の巻取り操作に連動して回転し、カム溝１２ａが外周に形成されたトラバースカム軸１２と、カム溝１２ａに係合する係合部材１７を保持する摺動子１５とを備え、カム溝１２ａで係合部材１７を係合案内しながら摺動子１５をトラバースカム軸１２に沿って往復動させることによってリール本体に設けられたスプール３に釣糸を平行に巻回させる釣糸平行巻き装置１０を備えており、トラバースカム軸１２の外周に形成されるカム溝１２ａを、交差部の無い形状としたことを特徴とする。【選択図】    図１
2004283022.tif 000002
【特許請求の範囲】
【請求項１】
リール本体に支持されたハンドルの巻取り操作に連動して回転し、カム溝が外周に形成された回転軸と、前記カム溝に係合する係合部材を保持する摺動子とを備え、前記カム溝で係合部材を係合案内しながら前記摺動子を回転軸に沿って往復動させることによってリール本体に設けられたスプールに釣糸を平行に巻回させる釣糸平行巻き装置を備えた魚釣用リールにおいて、
前記回転軸の外周に形成されるカム溝を、交差部の無い形状としたことを特徴とする魚釣用リール。
【請求項２】
前記ハンドルの巻取り操作による回転駆動を減速して前記回転軸に伝達する減速機構を設けたことを特徴とする請求項１に記載の魚釣用リール。
【発明の詳細な説明】
【０００１】
【発明の属する技術分野】
本発明は、スプールに釣糸を平行に巻く釣糸平行巻き装置を有する魚釣用リールに関する。
【０００２】
【従来の技術】
従来、スピニングリールや両軸受リールには、例えば特許文献１に開示されているように、スプールに釣糸を平行に巻く釣糸平行巻き装置が設けられている。この釣糸平行巻き装置は、ハンドルの巻取り操作に連動回転し、交差状の往復カム溝が形成されたトラバースカム軸と、前記カム溝に係合する係合部材（係合爪）を保持する摺動子とを備えており、ハンドルを巻取り操作した際、それと共に連動するトラバースカム軸の回転で係合部材を介して摺動子（摺動子を装着したスプール軸）を往復動させ、これによりスプールに釣糸を平行に巻き取るよう構成されている。
そして、通常、前記トラバースカム軸に形成されるカム溝は、係合爪が往復動できるように、往動カム溝と複動カム溝が交差する交差部が軸方向に複数形成された構成となっている。
【０００３】
【特許文献１】
実開平６−２３４５６号公報。
【０００４】
【発明が解決しようとする課題】
前記摺動子に保持される係合部材の先端係合部は、トラバースカム軸のカム溝に係合して摺動子を軸方向に移動させるが、上記した往動カム溝と複動カム溝が交差する交差部で係合部材の動きが不安定となって係合部材の先端係合部がカム溝の壁面と当たり、コトコト音のような異音が発生する。
【０００５】
また、この交差部の先端は、鋭角に形成されているために強度が弱く、摺動子の軸方向に外力（誤ってリールを落下したり不用意に他物に当てた場合）が加わると、カム溝に係合する係合部材の先端係合部によって変形したり、破損することがある。そして、これにより、摺動子が往復動作しなくなったり、正常に作動しなくなる等のトラブルが発生する。
【０００６】
本発明は、上述した問題に基づいて成されたものであり、摺動子の作動不良や異音が発生することのない釣糸平行巻き装置を備えた魚釣用リールを提供することを目的とする。
【０００７】
【課題を解決するための手段】
上記した課題を解決するために、本発明は、リール本体に支持されたハンドルの巻取り操作に連動して回転し、カム溝が外周に形成された回転軸と、前記カム溝に係合する係合部材を保持する摺動子とを備え、前記カム溝で係合部材を係合案内しながら前記摺動子を回転軸に沿って往復動させることによってリール本体に設けられたスプールに釣糸を平行に巻回させる釣糸平行巻き装置を備えた魚釣用リールにおいて、前記回転軸の外周に形成されるカム溝を、交差部の無い形状としたことを特徴とする。
【０００８】
上記した構成では、摺動子に保持された係合部材が往復動する際、係合部材が往動する溝（往動溝）と復動する溝（復動溝）は、交差すること無く回転軸の外周に連続形成されており、係合部材がそれら溝を１ストロークすることで、摺動子は１往復動されるようになっている。
【０００９】
【発明の実施の形態】
図１乃至図４は、本発明の第１の実施形態を示す図であり、図１は、スピニングリールの全体的な構成を示す図、図２は、リール本体内に設けられた釣糸平行巻き装置の構成を示す図、図３（ａ）は、トラバースカム軸の構成を示す図、図３（ｂ）は、図３（ａ）をＡ方向から見た図、図４（ａ）は、トラバースカム軸と係合部材の係合状態を示す部分断面側面図、図４（ｂ）は、トラバースカム軸と係合部材の係合状態を示す部分断面平面図である。
【００１０】
スピニングリールのリール本体１には、釣竿に装着されるリール脚１ａが一体形成されており、その前方には回転可能に支持されたロータ２と、ロータ２の回転運動と同期して前後動可能に支持されたスプール３が配設されている。
【００１１】
前記ロータ２は、スプール３の回りを回転する一対の腕部２ａを備えており、各腕部２ａの夫々の前端部には、ベール２ｂの基端部を取り付けたベール支持部材２ｃが釣糸巻取り位置と釣糸放出位置との間で回動自在に支持されている。なお、ベール２ｂの一方の基端部は、ベール支持部材２ｃに一体的に設けられた釣糸案内部２ｄに取り付けられている。
【００１２】
リール本体１内には、ハンドル軸５ａが回転可能に支持されており、その突出端部には、ハンドル５が取り付けられている。また、ハンドル軸５ａには、動力伝達機構７が係合しており、この動力伝達機構は、ハンドル軸５ａに取り付けられ、内歯が形成された駆動歯車８と、この駆動歯車８に噛合すると共に、ハンドル軸５ａと直交する方向に延出し、内部に軸方向に延出する空洞部が形成されたピニオン９とを備えている。
【００１３】
このピニオン９は、軸受を介してリール本体内に回転可能に支持されており、その空洞部には、ハンドル軸５ａと直交する方向に延出し、先端側に前記スプール３を装着したスプール軸３ａが軸方向に移動可能に挿通されている。また、ピニオン９はスプール側に向けて延出しており、その先端部には、前記ロータ２が取付けられて、ピニオン９が回転駆動された際、ロータを回転可能にしている。
【００１４】
そして、前記ピニオン９には、ハンドル５の回転操作に伴ってピニオン９が回転駆動された際、スプール３（スプール軸３ａ）を前後往復動させるための釣糸平行巻き装置１０が係合している。
【００１５】
釣糸平行巻き装置１０は、リール本体内に軸受を介して回転可能に支持され、スプール軸３ａと平行に延出する回転軸（トラバースカム軸）１２と、スプール軸３ａの基端部に、ビス等によって抜け止め固定された摺動子１５とを備えており、前記トラバースカム軸１２の外周面には、後述するような形状のカム溝１２ａが形成されている。前記摺動子１５は、カム溝１２ａに係合する係合部材１７を保持しており、トラバースカム軸１２が回転駆動された際、それと共に回転するカム溝１２ａに係合する係合部材１７は、カム溝に案内されて、前後往復動するようになっている。
【００１６】
前記カム溝１２ａは、そこに係合する係合部材１７を前後方向に往動、及び復動させるような形状で、かつ往動させる往動溝と復動させる復動溝が交差しないようにトラバースカム軸の外周面に沿って連続形成されており、係合部材１７がトラバースカム軸１２の回転に伴ってカム溝１２ａを１ストロークすると、係合部材１７、すなわち摺動子１５は１往復動されるようになっている。
【００１７】
この場合、カム溝１２ａは、交差部が無い形状に形成されており、かつトラバースカム軸の外周面に沿って連続形成されていることから、カム溝１２ａの距離を従来のように長く取ることは困難である。このため、トラバースカム軸１２は従来の構成よりも回転速度を遅くする必要があり、前記ピニオン９とトラバースカム軸１２との間には、ピニオン９の回転を減速してトラバースカム軸１２に伝達する減速機構２０が配設されている。
【００１８】
本実施形態の減速機構２０は、遊星機構を備えた構成となっており、この遊星機構は、トラバースカム軸１２に回転可能に取付けられた太陽歯車２１と、この太陽歯車に一体形成されると共に、ピニオン９に噛合する歯車２２と、リール本体１に固定された内歯歯車２３と、前記太陽歯車２１と内歯歯車２３との間に配設され、両者に噛合する複数の遊星歯車２４とを備えている。複数の遊星歯車２４は、太陽歯車２１の周りを一体に公転できるように、トラバースカム軸１２に回り止め固定されたキャリア２５によって回転可能に支持されている。このような減速機構によれば、ハンドルの回転と共に回転するピニオン９の回転を、歯車２２、太陽歯車２１を介して遊星歯車２４で減速し、減速された駆動回転を、キャリア２５を介してトラバースカム軸１２に伝達することができる。
【００１９】
また、前記摺動子１５に保持される係合部材１７は、摺動子１５に一体形成されていても、別体として摺動子に装着されるよう構成されていても良い。本実施形態では、図４（ａ），（ｂ）に示すように、摺動子１５の表面から突状に突出するように一体形成されており、その略全体がカム溝１２ａ内に入り込むように構成されている。この場合、図に示すように、係合部材１７の外周に、軸受（転がり軸受）１８を配設しておくことが好ましく、このような転がり軸受を配設しておくことで溝１２ａとの間での摺動摩擦抵抗が軽減され、係合部材１７が滑らかに移動できるようになる。なお、このような軸受は、滑り軸受で構成しても良く、また、軸受を配設しない構成であっても良い。
【００２０】
上記した構成により、ハンドル７を巻取り操作すると、ロータ２は、駆動歯車８及びピニオン９を介して回転駆動され、かつスプール３は、ピニオン９及び減速機構２０によってトラバースカム軸１２が回転駆動されることにより、その外周に形成されたトラバースカム溝１２ａに係合する係合部材１７を介して前後往復動される。これにより、釣糸は、釣糸案内部２ｄを介してスプール３の巻回胴部３ａに均等に巻回される。
【００２１】
そして、上記したカム溝１２ａは、係合部材１７が往動、復動されるに際して交差部が形成されていない形状であるため、係合部材１７の係合案内状態が安定し、摺動子１５の作動不良やコトコト音等の異音発生を確実に防止でき、良好な往復動機能が得られる。
【００２２】
図５は、上記した実施形態の第１の変形例を示す図であり、（ａ）は、トラバースカム軸の構成を示す図、（ｂ）は、図（ａ）をＢ方向から見た図である。  この変形例で示すように、上記したトラバースカム軸１２は、太径（直径；８〜１５ｍｍ程度）に形成しておくことが好ましい。トラバースカム軸１２を太径にすることで、充分な摺動子１５の前後ストロークの維持を図りながら、係合部材の前後動の折り返し部分（Ｐで示す領域）における溝形状を、緩やかな湾曲形状にすることが可能となり、これにより、係合部材の前後動の折り返し部分での動きをスムーズにすることができる。
【００２３】
図６及び図７は、上記した実施形態の第２の変形例を示す図であり、図６は、釣糸平行巻き装置の構成を示す図、図７は、摺動子に保持される係合部材の構成を示す図である。
この変形例では、係合部材３７を、摺動子１５と別体で形成すると共に、転がり軸受３８によって摺動子１５に対して回転可能に支持している。係合部材３７は、摺動子の表面から突出する先端係合部３７ａを具備しており、この先端係合部３７ａがカム溝１２ａに入り込むことで、摺動子１５を前後往復動させるようになっている。
【００２４】
このような構成によれば、トラバースカム軸１２が回転駆動された際、係合部材３７は、カム溝１２ａに案内されつつ、転がり軸受３８を介してスムーズに回転しながら摺動子１５を前後往復動させる。
このように、摺動子に保持される係合部材の構成については、適宜変形することが可能である。
【００２５】
図８及び図９は、上記した実施形態の第３の変形例を示す図であり、図８は、釣糸平行巻き装置の構成を示す図、図９は、図８のＣ−Ｃ線に沿った部分断面図である。
この変形例は、ハンドルの巻取り操作による回転駆動をトラバースカム軸１２に伝達する動力伝達部分の構成を変形したものであり、トラバースカム軸１２に入力される動力を、ピニオン９を介さずにハンドル軸５ａから直接、入力するように構成したものである。
【００２６】
ハンドルが装着されるハンドル軸５ａには、ウォーム歯車４０が形成されており、このウォーム歯車４０には、リール本体１の支持部１ｂに対して回転可能に軸支された従動軸４１の一端側に取付けられた従動歯車４２が噛合している。そして、従動動軸４１の他端側には、従動歯車４３が取付けられており、この従動歯車４３は、上記した遊星機構の歯車２２と噛合している。
【００２７】
このような構成によれば、ハンドル軸５ａに取付けられた駆動歯車８、及びピニオン９を介して動力伝達する構成と比較すると、駆動歯車８で一旦増速されることなく、ハンドル軸５ａの回転数からの動力伝達となるので、遊星機構への入力回転数を低くすることができ、減速効果を大きくすることが可能となる。すなわち、ハンドルの巻取り操作と共に回転駆動されるハンドル軸５ａからウォーム歯車４０、従動歯車４２を介して減速するので、より大きい減速を達成することが可能となる。
【００２８】
なお、この変形例では、さらに遊星機構により、減速効果を高めているが、上記したウォーム歯車４０及び従動歯車４２のギヤ比で充分に減速することが可能であることから、遊星機構を配設することなく、上記した従動歯車４３から直接トラバースカム軸１２に動力を伝達するように構成しても良い。
【００２９】
以上、本発明の実施形態について説明したが、本発明は、トラバースカム軸に形成されるカム溝形状に、交差部を設けないように形成したものであれば良く、その他の構成、すなわちトラバースカム軸に動力を伝達する構成や、回転量を減速させる減速機構等の構成については適宜変形することが可能である。また、上記した釣糸平行巻き装置は、両軸受リールに適用することも可能である。
【００３０】
【発明の効果】
以上、本発明の魚釣用リールによれば、釣糸平行巻き装置を備えた魚釣用リールにおいて、摺動子の作動不良や異音が発生することのない構成が得られる。
【図面の簡単な説明】
【図１】本発明に係る魚釣用リール（スピニングリール）の全体的な構成を示す図。
【図２】リール本体内に設けられた釣糸平行巻き装置の構成を示す図。
【図３】（ａ）は、トラバースカム軸の構成を示す図、（ｂ）は、図（ａ）をＡ方向から見た図。
【図４】（ａ）は、トラバースカム軸と係合部材の係合状態を示す部分断面側面図、図（ｂ）は、トラバースカム軸と係合部材の係合状態を示す部分断面平面図。
【図５】上記実施形態の第１の変形例を示す図であり、（ａ）は、トラバースカム軸の構成を示す図、（ｂ）は、図（ａ）をＢ方向から見た図。
【図６】上記実施形態の第２の変形例を示す図であり、釣糸平行巻き装置の構成を示す図。
【図７】摺動子に保持される係合部材の構成を示す図。
【図８】上記実施形態の第３の変形例を示す図であり、釣糸平行巻き装置の構成を示す図。
【図９】図８のＣ−Ｃ線に沿った部分断面図。
【符号の説明】
１  リール本体
３  スプール
５  ハンドル
５ａ  ハンドル軸
９  ピニオン
１０  釣糸平行巻き装置
１２  トラバースカム軸（回転軸）
１２ａ  カム溝
１５  摺動子
１７，３７  係合部材
２０  減速機構
【図１】
2004283022.tif 000003
【図２】
2004283022.tif 000004
【図３】
2004283022.tif 000005
【図４】
2004283022.tif 000006
【図５】
2004283022.tif 000007
【図６】
2004283022.tif 000008
【図７】
2004283022.tif 000009
【図８】
2004283022.tif 000010
【図９】
2004283022.tif 000011